(57)【要約】【課題】  カメラにおいて、操作ボタンの操作性と電源オフ時のコンパクト性を両立させる。【解決手段】  レリーズボタンを、第１操作部材１４Ａと第２操作部材１４Ｂから構成する。円柱状の第１操作部材１４Ａを円筒状の第２操作部材１４Ｂの孔１５に挿通する。電源オフ時、第１および第２操作部材１４Ａ、１４Ｂをカメラのケーシング４０内に収容する。電源投入時、レンズ駆動モータがレンズ鏡筒を初期位置まで繰り出す動力を利用して、第１および第２操作部材１４Ａ、１４Ｂをケーシング４０から繰り出す。第２操作部材１４Ｂよりも高い位置まで繰り出された第１操作部材１４Ａを第２操作部材１４Ｂの高さまで押し下げたとき、ＡＥおよびＡＦ動作を開始する。第１および第２操作部材１４Ａ、１４Ｂが更にケーシング４０の高さまで押し下げられたとき、撮影動作を開始する。【選択図】        図４
2007025063.tif 000002
【特許請求の範囲】
【請求項１】
操作ボタンと、
レンズまたはバリアの少なくとも一方を駆動する動力と、
前記動力を用いて、前記操作ボタンをカメラ本体に対し相対移動する移動手段とを備え、
カメラの電源がオンされるとき前記操作ボタンが前記移動手段により前記カメラ本体から相対的に突出される
ことを特徴とするカメラ。
【請求項２】
前記動力が前記レンズを駆動するための動力であり、前記移動手段が前記レンズを初期位置まで移動する初期駆動に連動して作動されることを特徴とする請求項１に記載のカメラ。
【請求項３】
前記電源がオフされるとき、前記レンズの前記カメラ本体内への収容動作に連動して、前記操作ボタンが前記移動手段により前記カメラ本体内に収容されることを特徴とする請求項２に記載のカメラ。
【請求項４】
前記動力が前記バリアを駆動するための動力であり、前記移動手段が前記バリアの開閉動作に連動して作動されることを特徴とする請求項１に記載のカメラ。
【請求項５】
前記操作ボタンがレリーズボタンであることを特徴とする請求項１に記載のカメラ。
【請求項６】
前記操作ボタンが第１操作部材および第２操作部材を備え、前記第１操作部材は、前記移動手段により前記第２操作部材よりも突出し、前記第１操作部材が半押しされると前記第１操作部材が前記第２操作部材と同じ高さになることを特徴とする請求項１に記載のカメラ。
【請求項７】
前記第１操作部材が半押しされるとき、自動露出、オートフォーカスの少なくとも一方を開始する第１スイッチがオンされることを特徴とする請求項６に記載のカメラ。
【請求項８】
前記第１操作部材が半押し状態から更に押し下げられると、前記第２操作部材が前記第１操作部材とともに押し下げられることを特徴とする請求項６に記載のカメラ。
【請求項９】
前記第１および第２操作部材が前記半押し状態から更に押し下げられると、撮影動作を開始する第２スイッチがオンされることを特徴とする請求項８に記載のカメラ。
【発明の詳細な説明】
【技術分野】
【０００１】
本発明は、カメラの操作ボタンに関し、特にレリーズ操作を行なうための操作ボタンに関する。
【背景技術】
【０００２】
デジタルカメラなどのコンパクトなカメラでは、操作ボタンが邪魔にならないように、操作ボタンがカメラボディからなるべく突出しないようにデザインされる。このため、レリーズボタンなどの操作ボタンはカメラボディの面と略同じ高さとされる。しかしこのような構造では、ボタンのストロークが短くなるため、操作し難いという問題が発生する。特に、半押し状態でＡＥやＡＦのロックが行われるレリーズボタンの場合（特許文献１参照）、操作ボタンのストロークが短いと、半押しの手応えを得難く、その状態を維持することも困難である。
【特許文献１】特開平９−１５４８７号公報
【発明の開示】
【発明が解決しようとする課題】
【０００３】
本発明は、上記問題に鑑みてなされたものであり、操作ボタンの操作性と電源オフ時のコンパクト性を両立するカメラを提供することを課題としている。
【課題を解決するための手段】
【０００４】
本発明に係るカメラは、操作ボタンと、レンズまたはバリアの少なくとも一方を駆動する動力と、この動力を用いて、操作ボタンをカメラ本体に対し相対移動する移動手段とを備え、カメラの電源がオンされるとき操作ボタンが移動手段によりカメラ本体から相対的に突出されることを特徴としている。
【０００５】
上記動力は例えばレンズを駆動するための動力であり、この場合移動手段はレンズを初期位置まで移動する初期駆動に連動して作動される。また、電源がオフされるとき、レンズのカメラ本体内への収容動作に連動して、操作ボタンが移動手段によりカメラ本体内に収容される。
【０００６】
また、上記動力は例えばバリアを駆動するための動力であり、この場合移動手段はバリアの開閉動作に連動して作動される。
【０００７】
操作ボタンは例えばレリーズボタンである。また、操作ボタンは第１操作部材および第２操作部材を備えることが好ましく、第１操作部材は、移動手段により第２操作部材よりも突出し、第１操作部材が半押しされると第１操作部材は第２操作部材と同じ高さになる。また、このとき第１操作部材が半押しされると、自動露出、オートフォーカスの少なくとも一方を開始する第１スイッチがオンされる。
【０００８】
第１操作部材が半押し状態から更に押し下げられると、第２操作部材は第１操作部材とともに押し下げられ、撮影動作を開始する第２スイッチがオンされる。
【発明の効果】
【０００９】
以上のように、本発明によれば、操作ボタンの操作性と電源オフ時のコンパクト性を両立するカメラを提供できる。
【発明を実施するための最良の形態】
【００１０】
以下、本発明の実施の形態を、図面を参照して説明する。
図１および図２は、本発明の第１実施形態であるカメラの概観を示す斜視図である。図１は、カメラの電源がオフ状態のときに対応し、図２はカメラの電源がオン状態のときに対応する。
【００１１】
図１および図２に示されるように、カメラ１０の頂面には電源ボタン１２と、レリーズボタン１４が配置され、前面にはレンズ鏡筒１６およびフラッシュ１８が配置される。図１に示されるように、カメラ１０の電源がオフ状態のとき、レリーズボタン１４とレンズ鏡筒１６は、カメラ１０の頂面や前面と略同じ高さとなるまでカメラ本体内にそれぞれ収容されている。
【００１２】
電源ボタン１２が操作され、カメラ１０の電源がオン状態とされると、カメラ１０内に設けられたレンズ駆動モータが駆動され、図２に示されるように、レンズ鏡筒１６がカメラ本体から初期位置まで繰り出される。このとき、後述するように、レリーズボタン１４がカメラ１０内から繰り出され、頂面から突出される。
【００１３】
一方、電源ボタン１２が再度操作され、カメラ１０の電源がオフされると、レンズ鏡筒１６およびレリーズボタン１４は、カメラ本体内に引っ込められ、再び図１に示されるようにカメラ１０内に収容される。
【００１４】
図３は、電源を投入した際、カメラ１０の本体に対しレリーズボタン１４を相対移動させる本実施形態の操作ボタン移動機構の構成を示す分解斜視図である。
【００１５】
図３において、カメラ本体２０にはレンズ駆動モータ２２が設けられている。レンズ駆動モータ２２は、レンズ鏡筒１６を駆動するためのモータであり、カメラ１０の電源が投入されると、所定の方向に回転され、図示しない動力伝達機構を介してレンズ鏡筒１６を初期位置まで繰り出す。その後レンズ駆動モータ２２は、初期位置から更にレンズが繰り出される範囲において、ズームボタン（図示せず）の操作に連動してレンズ鏡筒１６の位置を調整する。
【００１６】
またレンズ駆動モータ２２には、例えば歯車などからなる伝動機構２４が係合されており、伝動機構２４の歯車２４Ａには、偏心した位置に駆動ピン２４Ｂが設けられる。駆動ピン２４Ｂは、レンズ駆動モータ２２がレンズ鏡筒１６を初期位置まで繰り出す初期駆動の間に、レリーズボタン１４をカメラ本体２０から繰り出す際に用いられる。
【００１７】
レリーズボタン１４は、第１操作部材１４Ａと第２操作部材１４Ｂとから構成される。第１操作部材１４Ａは例えば円柱部材からなり、Ｌ字形の板部材からなる第１支持部材２６によって支持される。すなわち、第１操作部材１４Ａは、第１支持部材２６のＬ字形の短辺２６Ａが水平に配置され、長辺２６Ｂが垂直下向きに配置された状態において、短辺２６Ａの上面に設けられる。
【００１８】
一方、第２操作部材１４Ｂは、中心部に孔１５が設けられた円筒部材からなり、Ｌ字形の板部材からなる第２支持部材２８によって支持される。第２操作部材１４Ｂも第１操作部材１４Ａと同様に、第２支持部材２８のＬ字形の短辺２８Ａが水平に配置され、長辺２８Ｂが垂直下向きに配置された状態において、短辺２８Ａの上面に設けられる。なお、孔１５は第２支持部材２８の短辺２８Ａを貫いて形成されている。
【００１９】
第２操作部材１４Ｂに設けられた孔１５の内径は、第１操作部材１４Ａの円柱の外径に略等しく、第１操作部材１４Ａは、第２操作部材１４Ｂの孔１５に第２支持部材２８の短辺２８Ａの下側から摺動自在に挿通される。すなわち、第１操作部材１４Ａは第２操作部材１４Ｂの孔１５に通され、第１支持部材２６および第２支持部材２８は、第２支持部材２８が第１支持部材２６の上に重ねられた状態で配置される。
【００２０】
第１支持部材２６の長辺２６Ｂには、長手方向に延在する上下２つのスリット２６Ｓが形成される。同様に、第２支持部材２８の長辺２８Ｂには、長手方向に延在する上下２つのスリット２８Ｓが形成される。スリット２６Ｓ、２８Ｓには、それぞれビス３０が挿通され、ビス３０はカメラ本体２０にネジ止めされる。このとき、第１および第２支持部材２６、２８の短辺２６Ａ、２８Ａは、カメラ本体２０の頂面に設けられた段部２０Ａの上に載置される。
【００２１】
また、第１および第２支持部材２６、２８には、それぞれ突起部２６Ｃ、２８Ｃが設けられ、バネ３２、３４などの付勢手段が取り付けられる。バネ３２、３４は、第１および第２支持部材２６、２８をそれぞれ上向きに付勢する。なお、第１および第２支持部材２６、２８の動きは、スリット２６Ｓ、２８Ｓとビス３０との係合により規制される。すなわち、第１および第２支持部材２６、２８は、スリット２６Ｓ、２８Ｓに沿ってスリットの長さの範囲において上下方向に摺動可能である。
【００２２】
更に、第１および第２支持部材２６、２８の長辺２６Ｂ、２８Ｂには、歯車２４Ａの駆動ピン２４Ｂと協働する駆動レバー２６Ｄ、２８Ｄがそれぞれ設けられる。駆動レバー２６Ｄ、２８Ｄは、それぞれ長辺２６Ｂ、２８Ｂから延出し、駆動レバー２６Ｄ、２８Ｄの上辺は、駆動ピン２４Ｂと係合する。すなわち、歯車２４Ａに偏心して設けられた駆動ピン２４Ｂは、駆動レバー２６Ｄ、２８Ｄの上辺に当接し、第１および第２支持部材２６、２８のバネ３２、３４による上方への移動を規制する。
【００２３】
駆動ピン２４Ｂの位置は、歯車２４Ａの回転に伴って移動されるので、歯車２４Ａの回転により駆動ピン２４Ｂが下方から上方へと移動されると、第１および第２支持部材２６、２８もバネ３２、３４の付勢力により上方へと移動される。一方、歯車２４Ａの回転により駆動ピン２４Ｂが上方から下方へと移動されると、第１および第２支持部材２６、２８は、駆動ピン２４Ｂにより押し下げられる。
【００２４】
また、第１支持部材２６の長辺２６Ｂの下端部には、三叉に分かれたブラシ接点３６が取り付けられる。第１および第２支持部材２６、２８がカメラ本体２０に組み付けられたとき、ブラシ接点３６の３つの接点３６Ａ、３６Ｂ、３６Ｃは、接点板３８と接触する。接点板３８には、独立した３つの接点３８Ａ、３８Ｂ、３８Ｃが設けられており、接点３６Ａ、３６Ｂ、３６Ｃはこれらの接点に各々接触する。
【００２５】
接点３８Ａはグランドに接続された接点であり、第１支持部材２６が上下方向のどの位置にあっても接点３６Ａと接触する。一方、接点３８Ｂは、オートフォーカス（ＡＦ）や自動露出（ＡＥ）処理を行なうための第１スイッチを構成する接点であり、レリーズボタン１４が半押され、第１操作部材１４Ａが第２操作部材１４Ｂと同じ高さになるまで押し下げられるとき接点３６Ｂと接触する。すなわち、レリーズボタン１４が半押されると、接点３８Ａと接点３８Ｂが導通され第１スイッチがオンされ、ＡＥおよびＡＦ処理が開始される。
【００２６】
また、接点３８Ｃは、撮影動作を開始するための第２スイッチを構成する接点であり、レリーズボタン１４が全押され、第１操作部材１４Ａおよび第２操作部材１４Ｂが完全に押し下げられるとき接点３６Ｃと接触する。すなわち、レリーズボタン１４が全押されると、接点３８Ａと接点３８Ｃが導通され第２スイッチがオンされ、カメラ１０による撮影が開始される。
【００２７】
図４、図５に、カメラ１０の電源がオフされた状態、電源がオンされた状態、レリーズボタン１４が半押された状態、レリーズボタン１４が全押しされた状態における、第１および第２操作部材１４Ａ、１４Ｂの位置と、第１および第２支持部材２６、２８の位置関係を示す。
【００２８】
図４は、第１および第２操作部材１４Ａ、１４Ｂのカメラ１０の側面方向からの断面図である。図４（ａ）は、カメラ１０の電源がオフされた状態の断面図であり、レリーズボタン１４を構成する第１および第２操作部材１４Ａ、１４Ｂの頭部は、カメラ１０のケーシング４０の頂面と同じ高さとされ、第１および第２操作部材１４Ａ、１４Ｂはケーシング４０内に収容されている。
【００２９】
このととき図５（ａ）に示されるように、歯車２４Ａは、駆動ピン２４Ｂが下となる回転位置にあり、第１および第２支持部材２６、２８の駆動レバー２６Ｄ、２８Ｄは、駆動ピン２４Ｂにより、最も低い位置に保持される。なお、図５は、第１および第２支持部材２６、２８の下端部と歯車２４Ａの関係を正面から見た模式図であり、第１支持部材２６の輪郭が実線で描かれ、第２支持部材２８の輪郭が破線で描かれている。
【００３０】
カメラ１０の電源がオンされた状態を図４（ｂ）、図５（ｂ）に示す。電源がオン状態とされると、図３のレンズ駆動モータ２２が、作動されレンズ鏡筒１６が初期位置にまで移動される。この間歯車２４Ａは、図５において時計周りに半周回転され、駆動ピン２４Ｂは最も高い位置にまで移動される。
【００３１】
歯車２４Ａの回転に伴って、第１および第２支持部材２６、２８はバネ３２、３４の付勢力により、スリット２６Ｓ、２８Ｓに沿って上方へと移動される。初め駆動レバー２６Ｄ、２８Ｄはバネ３２、３４の付勢力により駆動ピン２４Ｂにそれぞれ当接しながら上昇する。このとき第１および第２操作部材１４Ａ、１４Ｂは図４（ａ）の相対位置関係を保ちながら、ケーシング４０から繰り出される。
【００３２】
第２操作部材１４Ｂの短辺２８Ａがケーシング４０に当接し、第２操作部材１４Ｂのケーシング４０からの繰り出しが完了すると、第２支持部材２８が停止し、駆動レバー２８Ｄは駆動ピン２４Ｂから離接する。一方、第１支持部材２６は駆動レバー２６Ｄを駆動ピン２４Ｂに当接させながら更に上昇し、レンズ鏡筒１６の初期駆動が終了するまでの間に、短辺２６Ａの頂面が、第２支持部材２８の短辺２８Ａに当接して、第１操作部材１４Ａの繰り出し動作は完了する。これにより、第１操作部材１４Ａは、図４（ｂ）に示されるように、第２操作部材１４Ｂよりも更に突出した状態に置かれる。
【００３３】
なお、歯車２４Ａがレンズのズーム操作にともなって、更に時計回りに回転されても、駆動ピン２４Ｂが駆動レバー２６Ｄ、２８Ｄと接触することはない。すなわち、ズーム操作によるレンズの繰り出し動作は、操作ボタンの繰り出し動作と分離されており、ズーミング動作が操作ボタンの繰り出し動作影響を与えることはない。
【００３４】
図４（ｃ）、図５（ｃ）に、図４（ｂ）、図５（ｂ）の状態からレリーズボタン１４が半押しされた状態が示される。このとき、第１操作部材１４Ａのみが、第２操作部材１４Ｂの高さまで、バネ３２に抗して押し下げられ、駆動レバー２６Ｄは、駆動ピン２４Ｂから離接され、駆動レバー２８Ｄと同じ位置まで下げられる。なおこのとき、第２操作部材１４Ｂの位置は、図４（ｂ）の位置と同じである。
【００３５】
図４（ｄ）、図５（ｄ）に、レリーズボタン１４が全押しされた状態が示される。図４（ｄ）に示されるように、第１および第２操作部材１４Ａ、１４Ｂはともにケーシング４０の高さまで押し下げられる。すなわち、レリーズボタン１４が全押しされた状態は、駆動ピン２４Ｂの位置を除いて、図４（ａ）、図５（ａ）と同じである。
【００３６】
なお、カメラ１０の電源がオフされると、歯車２４Ａは、図５（ｂ）の位置から反時計回りに図４（ａ）の状態となるまで回転される。また、電源投入時には電源ボタン１２が操作されてから、初期駆動が終了するまでの間、第１および第２スイッチは、ブラシ接点３６と接点板３８とによる接点間のオン／オフに係らずオフ状態に維持される。また電源を切るときには電源ボタン１２が操作された直後から、第１および第２スイッチは、ブラシ接点３６と接点板３８とによる接点間のオン／オフに係らずオフ状態に維持される。
【００３７】
以上のように、第１実施形態では、カメラの電源がオン状態のときには、操作ボタンが十分にケーシングの外に突出されるため操作は容易である。一方、カメラの電源がオフ状態のときには、操作ボタンがケーシング内に収容されているため、電源オフ時のカメラの寸法を更にコンパクトにすることができる。また、操作ボタンの出し入れは、レンズ駆動モータの初期駆動時の動力を使用しているため、新たに動力源を設ける必要がない。
【００３８】
また更に、第１実施形態では、レリーズボタンが、第１操作部材と第２操作部材に分離され、半押し時には、第１操作部材のみが操作され、全押し時に第１および第２操作部材が操作される構成とされるので、ユーザにおいて半押し状態の判別が容易となる。以上のように、第１実施形態のカメラにおいて、操作ボタンの操作性とカメラのコンパクト性とが両立される。
【００３９】
次に図６、図７を参照して、第２実施形態の操作ボタン移動機構について説明する。図６は、第２実施形態の操作ボタン移動機構の構成を模式的に示す図であり、図７は、第２実施形態の接点板の平面図である。
【００４０】
第１実施形態では、レリーズボタン１４を構成する第１操作部材１４Ａと第２操作部材１４Ｂは、電源がオフ状態のときケーシング４０の高さと同じ位置までケーシング４０内に収容されていたが、第２実施形態では、第１操作部材１４Ａのみが、レンズ駆動モータ２２の動力により移動される構成とされ、第２操作部材１４Ｂは、ケーシング４０から突出された状態に維持され、第１操作部材１４Ａも第２操作部材１４Ｂの高さまでしか収容されない。なお、第２実施形態の説明において、その構成が第１実施形態と共通であるものに関しては同一参照符合を用い、その説明を省略する。
【００４１】
第２実施形態において、レリーズボタン１４は第１操作部材１４Ａと第２操作部材１４Ｂ’とから構成される。第２操作部材１４Ｂ’は、第１実施形態と同様に、中央に孔１５が設けられた円筒部材からなり、孔１５には、円柱状の第１操作部材１４Ａが挿通される。電源がオフ状態のときには、図６に実線で示されるように、第１操作部材１４Ａは、第２操作部材１４Ｂ’の高さと同じ高さまで引っ込められている。
【００４２】
第１操作部材１４Ａは、第１支持部材２６に設けられており、第１支持部材２６は、歯車２４Ａに設けられた駆動ピン２４Ｂにより上下方向に移動可能である。すなわち、第１実施形態と同様に、レンズ駆動モータ２２の初期駆動により、歯車２４Ａが回転されると、突起部２６Ｃに取り付けられたバネ３２に付勢された第１支持部材２６は、駆動レバー２６Ｄを駆動ピン２４Ｂに当接させながら、上方に繰り出され第２操作部材１４Ｂ’から突出する。
【００４３】
一方、第２操作部材１４Ｂ’は、第１実施形態とは異なり、板バネ４２などの付勢手段に直接取り付けられる。板バネ４２は、ネジ４４などの取り付け手段によりケーシング４０に留め付けられ第２操作部材１４Ｂ’をケーシング４０に向けて上方に付勢する。これにより、第２操作部材１４Ｂ’は、押し下げられない限り、ケーシング４０から僅かに突出された状態に維持される。
【００４４】
また、第１支持部材２６の下端部には、ブラシ接点３６’が設けられる。ブラシ接点３６’は接点３６Ａ’、３６Ｂ’からなり、図６の例では、各接点３６Ａ’、３６Ｂ’は板バネ状の２つの電極を備えている。ブラシ接点３６’は、カメラ本体２０に固定された接点板３８’の接点３８Ａ’、３８Ｂ’、３８Ｃ’とそれぞれ接触する。
【００４５】
すなわち、接点３８Ａ’はグランドに接続された接点であり、第１操作部材１４Ａが半押しあるいは全押しされているときに、接点３６Ａ’と接触する。一方、接点３８Ｂ’は、オートフォーカス（ＡＦ）や自動露出（ＡＥ）処理を行なうための第１スイッチを構成する接点である。レリーズボタン１４が半押され、第１操作部材１４Ａが第２操作部材１４Ｂ’と同じ高さになるまで押し下げられるとき接点３６Ｂ’と接触する。すなわち、レリーズボタン１４が半押されると、接点３８Ａ’と接点３８Ｂ’が導通され第１スイッチがオンされ、ＡＥおよびＡＦ処理が開始される。
【００４６】
また、接点３８Ｃ’は、撮影動作を開始するための第２スイッチを構成する接点であり、レリーズボタン１４が全押され、第１操作部材１４Ａおよび第２操作部材１４Ｂ’が完全に押し下げられるとき接点３６Ｃ’と接触する。すなわち、レリーズボタン１４が全押されると、接点３８Ａ’と接点３８Ｃ’が導通され第２スイッチがオンされ、カメラ１０による撮影が開始される。なお、第２実施形態では、レリーズボタン１４が押されていないときには、接点３６’は、接点板３８’の何れの接点とも接触していない。
【００４７】
以上のように、第２実施形態においても、第１実施形態と略同様の効果を得ることができる。第２実施形態では、第２操作部材の構造が更に簡略化されているので、部品点数の低減や、組み立て工程の削減において更に有利である。
【００４８】
次に図８を参照して第３実施形態について説明する。第１および第２実施形態では、電源投入時に、レンズを初期位置まで繰り出す形式のカメラにおいて、レンズ駆動モータを操作部材の繰り出し動作の動力源として用いた。第３実施形態では、電源投入時にレンズの前面を覆うバリアを開く構造を備えたカメラにおいて、バリアの開閉に用いられる動力源を第１実施形態や第２実施形態のように操作部材の繰り出し動作に用いる。
【００４９】
図８に示されるように、第３実施形態のカメラは、レンズ５１の前面を覆うことができるバリア５２を備える。バリア５２は、例えば横方向にスライド可能であり、電源がオフ状態のときには、レンズ５１を覆う位置に配置されている。電源ボタン１２が操作されると、バリア５２はバリア駆動モータ５３によりスライドされ、ケーシング内に収容され、レンズ５１が露出される。
【００５０】
このとき、第１や第２実施形態と同様に、レリーズボタン１４（第１操作部材のみ、あるいは第１操作部材および第２操作部材）は、ケーシング内から繰り出される。また、電源がオフされると、バリア５２が閉じられるとともに、レリーズボタン１４は再びケーシング内に収容される。なお、第３実施形態において、レリーズボタン１４の繰り出し動作の動力源をレンズ駆動モータからバリア駆動モータに置き換えたこと以外の構成は、第１または第２実施形態と同様である。
【００５１】
以上のように、第３実施形態においていも、第１および第２実施形態と同様の効果をえることができる。
【図面の簡単な説明】
【００５２】
【図１】本発明の第１実施形態であるカメラの概観を示す斜視図であり、カメラの電源はオフ状態である。
【図２】図１のカメラの電源がオン状態のときの斜視図である。
【図３】電源を投入した際、カメラ本体に対しレリーズボタンを相対移動させる第１実施形態の操作ボタン移動機構の構成を示す分解斜視図である。
【図４】カメラの電源がオフされた状態、電源がオンされた状態、レリーズボタンが半押しされた状態、レリーズボタンが全押しされた状態における、第１および第２操作部材の位置関係を示す部分側断面図である。
【図５】図４に対応した状態における第１および第２支持部材の位置関係を示す模式図である。
【図６】第２実施形態の操作ボタン移動機構の構成を模式的に示す図である。
【図７】第２実施形態の接点板の平面図である。
【図８】第３実施形態のカメラの斜視図である。
【符号の説明】
【００５３】
１０  カメラ
１２  電源ボタン
１４  レリーズボタン
１４Ａ  第１操作部材
１４Ｂ  第２操作部材
１６  レンズ鏡筒
２２  レンズ駆動モータ
２４Ｂ  駆動ピン
２６  第１支持部材
２６Ｄ  駆動レバー
２８  第２支持部材
２８Ｄ  駆動レバー
５１  レンズ
５２  バリア
５３  バリア駆動モータ
【図１】
2007025063.tif 000003
【図２】
2007025063.tif 000004
【図３】
2007025063.tif 000005
【図４】
2007025063.tif 000006
【図５】
2007025063.tif 000007
【図６】
2007025063.tif 000008
【図７】
2007025063.tif 000009
【図８】
2007025063.tif 000010